(57)【要約】【課題】時分割駆動を行う場合にも高い表示特性を得ること。【解決手段】複数の基板のそれぞれに複数の発光素子が設けられた発光素子パッケージであって、基板が直交する方向である第一方向及び第二方向に沿って等ピッチで複数並べられた基板配列状態において、それぞれの基板上における複数の発光素子の配置が基板ごとに同一の配置となるように基板に複数の発光素子が配置されていると共に、基板配列状態において、１つの基板における複数の発光素子のピッチと、基板を跨いで隣接する複数の発光素子のピッチとが等しくなるように基板に複数の発光素子が配置されている。【選択図】図３
2012099728.tif 000002
【特許請求の範囲】
【請求項１】
複数の基板のそれぞれに複数の発光素子が設けられた発光素子パッケージであって、
前記基板が直交する方向である第一方向及び第二方向に沿って等ピッチで複数並べられた基板配列状態において、それぞれの前記基板上における複数の前記発光素子の配置が前記基板ごとに同一の配置となるように前記基板に複数の前記発光素子が配置されていると共に、
前記基板配列状態において、１つの前記基板における複数の前記発光素子のピッチと、前記基板を跨いで隣接する複数の前記発光素子のピッチとが等しくなるように前記基板に複数の前記発光素子が配置されている
発光素子パッケージ。
【請求項２】
前記基板は矩形であり、
複数の前記発光素子は、第一発光素子、第二発光素子及び第三発光素子を有し、
前記第一発光素子及び前記第三発光素子は、前記基板の四つの辺であって前記第一方向に平行な第一辺及び第二辺、前記第二方向に平行な第三辺及び第四辺のうち前記第三辺に沿って並んで配置され、
前記第一発光素子は前記第一辺側に配置されると共に、前記第三発光素子は前記第二辺側に配置され、
前記第二発光素子は、前記第四辺に沿った位置に配置され、
前記基板は、前記第一方向及び前記第二方向に隣接する前記基板同士の間で前記第一方向又は前記第二方向における向きが１８０°ずれるように配置されており、
前記第一発光素子の前記第一方向の寸法をＡ１１、前記第二方向の寸法をＡ１２とし、
前記第二発光素子の前記第一方向の寸法をＡ２１、前記第二方向の寸法をＡ２２とし、
前記第三発光素子の前記第一方向の寸法をＡ３１、前記第二方向の寸法をＡ３２とし、
前記第一発光素子の発光の中心である第一発光中心部と前記第二発光素子の発光の中心である第二発光中心部との間における前記第一方向の距離をＢ１とし、
前記第二発光中心部と前記第三発光素子の発光の中心である第三発光中心部との間における前記第一方向の距離をＢ２とし、
前記第三発光中心部と前記第一発光中心部との間における前記第二方向の距離をＢ３とし、
前記第一発光中心部と前記第一辺との距離をｂ１とし、
前記第二発光中心部と前記第一辺との距離をｂ２とし、
前記第二発光中心部と前記第四辺との距離をｂ３とし、
前記第二発光中心部と前記第二辺との距離をｂ４とし、
前記第三発光中心部と前記第二辺との距離をｂ５とし、
前記第三発光中心部と前記第三辺との距離をｂ６とし、
前記第一発光中心部と前記第三辺との距離をｂ７とし、
前記基板の前記第一方向の寸法をＣ１とし、
前記基板の前記第二方向の寸法をＣ２とし、
隣接する前記基板同士の前記第一方向の距離をαとし、
隣接する前記基板同士の前記第二方向の距離をβとし、
Ｖ１１＋Ｖ２１＜Ｂ１であり、
Ｖ１２＋Ｖ３２＜Ｂ３であるときに、
Ｃ１＝Ｂ１＋ｂ３＋ｂ７＝２×Ｂ１−α
及び、
Ｃ２＝Ｂ３＋ｂ１＋ｂ５＝２×Ｂ３−β
を満足する
請求項１に記載の発光素子パッケージ。
【請求項３】
Ｂ１＝Ｂ２＝（√３／２）×Ｂ３
を更に満足する
請求項２に記載の発光素子パッケージ。
【請求項４】
Ｃ１＝Ｃ２
を更に満足する
請求項２又は請求項３に記載の発光素子パッケージ。
【請求項５】
前記基板は矩形であり、
複数の前記発光素子は、第一発光素子、第二発光素子、第三発光素子及び第四発光素子を有し、
前記第一発光素子及び前記第四発光素子は、前記基板の四つの辺であって前記第一方向に平行な第一辺及び第二辺、前記第二方向に平行な第三辺及び第四辺のうち前記第三辺に沿って並んで配置され、
前記第二発光素子及び前記第三発光素子は、前記第四辺に沿って並んで配置され、
前記第一発光素子及び前記第二発光素子は、前記第一辺側に配置され、
前記第三発光素子及び前記第四発光素子は、前記第二辺側に配置され、
前記第一発光素子の前記第一方向の寸法をＬ１１、前記第二方向の寸法をＬ１２とし、
前記第二発光素子の前記第一方向の寸法をＬ２１、前記第二方向の寸法をＬ２２とし、
前記第三発光素子の前記第一方向の寸法をＬ３１、前記第二方向の寸法をＬ３２とし、
前記第四発光素子の前記第一方向の寸法をＬ４１、前記第二方向の寸法をＬ４２とし、
前記第一発光素子の発光の中心である第一発光中心部と前記第二発光素子の発光の中心である第二発光中心部との間における前記第一方向の距離をＭ１とし、
前記第二発光中心部と前記第三発光素子の発光の中心である第三発光中心部との間における前記第二方向の距離をＭ２とし、
前記第三発光中心部と前記第四発光素子の発光の中心である第四発光中心部との間における前記第一方向の距離をＭ３とし、
前記第四発光中心部と前記第一発光中心部との前記第一方向の距離をＭ４とし、
前記第一発光中心部と前記第一辺との距離をｍ１とし、
前記第二発光中心部と前記第一辺との距離をｍ２とし、
前記第二発光中心部と前記第四辺との距離をｍ３とし、
前記第三発光中心部と前記第四辺との距離をｍ４とし、
前記第三発光中心部と前記第二辺との距離をｍ５とし、
前記第四発光中心部と前記第二辺との距離をｍ６とし、
前記第四発光中心部と前記第三辺との距離をｍ７とし、
前記第一発光中心部と前記第三辺との距離をｍ８とし、
前記基板の前記第一方向の寸法をＮ１とし、
前記基板の前記第二方向の寸法をＮ２とし、
隣接する前記基板同士の前記第一方向の距離をαとし、
隣接する前記基板同士の前記第二方向の距離をβとし、
Ｗ１１＋Ｗ２１＜Ｍ１であり、
Ｗ１２＋Ｗ４２＜Ｍ４であるときに、
Ｎ１＝Ｍ１＋ｍ３＋ｍ８＝２×Ｍ１−α
及び
Ｎ２＝Ｍ４＋ｍ１＋ｍ６＝２×Ｍ４−β
を満足する
請求項１に記載の発光素子パッケージ。
【請求項６】
Ｍ１＝Ｍ２＝Ｍ３＝Ｍ４
を更に満足する
請求項５に記載の発光素子パッケージ。
【請求項７】
Ｎ１＝Ｎ２
を更に満足する
請求項５又は請求項６に記載の発光素子パッケージ。
【請求項８】
請求項１から請求項７のうちいずれか一項に記載の発光素子パッケージが、前記第一方向及び前記第二方向に等ピッチで複数並べられた表示パネルと、
隣接する前記発光素子パッケージの複数の前記発光素子のうち前記発光素子パッケージ毎に一部ずつ前記発光素子を組み合わせて一画素を表示させる制御装置と
を備える表示装置。
【発明の詳細な説明】
【技術分野】
【０００１】
本発明は、発光素子パッケージ及び表示装置に関する。
【背景技術】
【０００２】
表示装置として、例えばマトリクス状に配置された複数のサブ画素を用いてカラー画像を表示する手法が知られている。このような表示装置としては、サブ画素としてＲ（赤色）、Ｇ（緑色）及びＢ（青色）の３色のＬＥＤをそれぞれ発光させる構成が知られている（例えば、特許文献１参照）。特許文献１に記載の表示装置は、赤色ＬＥＤ、緑色ＬＥＤ及び青色ＬＥＤが１つずつ配置されたＬＥＤパッケージを複数個有している。この複数のＬＥＤパッケージは、例えばマトリクス状に複数個配置されている。
【０００３】
近年では、複数のサブ画素を時分割で駆動させる表示装置が知られている。この表示装置では、例えば隣接する２つの画素においてサブ画素を一部ずつ用いることで、当該２つの画素間に１つの独立した画素を形成する。このようにサブ画素を駆動させることで、より高精細な表示が可能となる。
【０００４】
時分割駆動を行う表示装置では、サブ画素として高い応答速度を有する素子を用いる必要がある。高い応答速度を有するＬＥＤは、時分割駆動を行う表示装置に適している。また、時分割駆動を行う表示装置においては、１つの画素内においても、また、隣接する画素間においても、各ＬＥＤを等ピッチで配列させる必要がある。
【先行技術文献】
【特許文献】
【０００５】
【特許文献１】特表２００８−０４７８６２号公報
【発明の概要】
【発明が解決しようとする課題】
【０００６】
しかしながら、例えば上記特許文献１のようなＬＥＤパッケージを用いる場合、１つのＬＥＤパッケージ内のＬＥＤのピッチと、隣接するＬＥＤパッケージにおけるＬＥＤピッチとが異なってしまう。このため、隣接するＬＥＤパッケージ間のＬＥＤを用いて一画素を表示することが困難であった。このように、ＬＥＤなどの発光素子パッケージは、時分割駆動の表示装置に搭載しても高い表示特性が得られないという問題があった。
【０００７】
以上のような事情に鑑み、本発明は、時分割駆動を行う場合にも高い表示特性を得ることができる発光素子パッケージ及び表示装置を提供することを目的とする。
【課題を解決するための手段】
【０００８】
本発明の第一の態様に従えば、複数の基板のそれぞれに複数の発光素子が設けられた発光素子パッケージであって、基板が直交する方向である第一方向及び第二方向に沿って等ピッチで複数並べられた基板配列状態において、それぞれの基板上における複数の発光素子の配置が基板ごとに同一の配置となるように基板に複数の発光素子が配置されていると共に、基板配列状態において、１つの基板における複数の発光素子のピッチと、基板を跨いで隣接する複数の発光素子のピッチとが等しくなるように基板に複数の発光素子が配置されている発光素子パッケージが提供される。
【０００９】
本発明の第二の態様に従えば、本発明の第一の態様に従う発光素子パッケージが、前記第一方向及び前記第二方向に等ピッチで複数並べられた表示パネルと、隣接する前記発光素子パッケージの複数の前記発光素子のうち前記発光素子パッケージ毎に一部ずつ前記発光素子を組み合わせて一画素を表示させる制御装置とを備える表示装置が提供される。
【発明の効果】
【００１０】
本発明の態様によれば、時分割駆動を行う場合にも高い表示特性を得ることができる。
【図面の簡単な説明】
【００１１】
【図１】本発明の第一実施形態に係る表示装置の構成を示す概略図。
【図２】本実施形態に係る表示装置の一部の構成を示す図。
【図３】本実施形態に係る発光素子パッケージの構成を示す平面図。
【図４】本実施形態に係る発光素子パッケージの構成を示す側面図。
【図５】本発明の第二実施形態に係る表示装置の一部の構成を示す図。
【図６】本実施形態に係る発光素子パッケージの構成を示す平面図。
【図７】本実施形態に係る発光素子パッケージの構成を示す側面図。
【図８】発光素子パッケージの全体構成を示す（ａ）底面図、（ｂ）側面図。
【図９】発光素子パッケージの全体構成を示す（ａ）底面図、（ｂ）側面図。
【図１０】発光素子パッケージの全体構成を示す（ａ）底面図、（ｂ）側面図。
【発明を実施するための形態】
【００１２】
以下、図面を参照して、本発明の実施の形態を説明する。  
［第一実施形態］  
図１は、本実施形態に係る表示装置ＤＰの構成を示す図である。  
図１に示すように、表示装置ＤＰは、表示パネルＰＮＬ及び制御装置ＣＯＮＴを有している。表示装置ＤＰは、制御装置ＣＯＮＴの制御に基づいて表示パネルＰＮＬに画像や文字等が表示されるようになっている。
【００１３】
図２は、表示パネルＰＮＬの一部の構成を示す平面図である。  
図１及び図２に示すように、表示パネルＰＮＬは、板状部材ＰＳ及び複数の発光素子パッケージＰＫ１を有している。板状部材ＰＳは、矩形に形成されており、複数の発光素子パッケージＰＫ１を支持する。板状部材ＰＳには、複数の発光素子パッケージＰＫ１に接続される配線や端子などが形成されている。複数の発光素子パッケージＰＫ１は、板状部材ＰＳ上にマトリクス状に配置されている。
【００１４】
また、板状部材ＰＳ（の裏面）には、発光素子パッケージＰＫ１を駆動する不図示の駆動回路などが形成されている。この駆動回路は、板状部材ＰＳ上に形成された不図示の配線などを介して制御装置ＣＯＮＴに接続されている。
【００１５】
図３は、発光素子パッケージＰＫ１の構成を示す平面図である。図４は、発光素子パッケージＰＫ１の構成を示す側面図である。  
図２から図４に示すように、発光素子パッケージＰＫ１は、基板Ｓ、複数の発光素子Ｄ及び保護部材ＣＯＶを有している。
【００１６】
基板Ｓは、矩形に形成されている。基板Ｓは、図３に示すように、当該基板Ｓの４辺のうち第一辺Ｓ１及び第二辺Ｓ２がＸ方向に平行になるように、また、第三辺Ｓ３及び第四辺Ｓ４がＹ方向に平行になるように、板状部材ＰＳ上にＸ方向及びＹ方向にマトリクス状に配置されている。基板Ｓには、複数の発光素子Ｄに接続される不図示の配線や端子などが形成されている。本実施形態では、図２に示すように、隣接する基板Ｓ同士のＸ方向の距離をαとし、隣接する基板Ｓ同士のＹ方向の距離をβとしている。
【００１７】
また、図３に示すように、本実施形態では、複数の発光素子Ｄとして、第一発光素子Ｄ１、第二発光素子Ｄ２及び第三発光素子Ｄ３の３つの発光素子Ｄが１つの基板Ｓ上に設けられている。本実施形態では、例えば第一発光素子Ｄ１として赤色ＬＥＤが用いられ、第二発光素子Ｄ２として緑色ＬＥＤが用いられ、第三発光素子Ｄ３として青色ＬＥＤが用いられている。
【００１８】
第一発光素子Ｄ１及び第三発光素子Ｄ３は、基板Ｓの四つの辺のうち第三辺Ｓ３に沿って並んで配置されている。このうち第一発光素子Ｄ１は第一辺Ｓ１側に配置されており、第三発光素子Ｄ３は第二辺Ｓ２側に配置されている。第二発光素子Ｄ２は、第四辺Ｓ４に沿った位置に配置されており、第四辺Ｓ４のうちＹ方向の中心位置に配置されている。Ｘ方向及びＹ方向に隣接する基板Ｓ同士の間では、基板Ｓの向きが１８０°ずれた状態になっている。
【００１９】
本実施形態では、第一発光素子Ｄ１のＸ方向の寸法をＡ１１とし、第一発光素子Ｄ１のＹ方向の寸法をＡ１２とし、第二発光素子Ｄ２のＸ方向の寸法をＡ２１、第二発光素子Ｄ２のＹ方向の寸法をＡ２２とし、第三発光素子Ｄ３のＸ方向の寸法をＡ３１、第三発光素子Ｄ３のＹ方向の寸法をＡ３２としている。
【００２０】
また、第一発光素子Ｄ１の発光の中心である第一発光中心部Ｐ１と第二発光素子Ｄ２の発光の中心である第二発光中心部Ｐ２との間におけるＸ方向の距離をＢ１とし、第二発光中心部Ｐ２と第三発光素子Ｄ３の発光の中心である第三発光中心部Ｐ３との間におけるＸ方向の距離をＢ２とし、第三発光中心部Ｐ３と第一発光中心部Ｐ１との間におけるＹ方向の距離をＢ３としている。
【００２１】
また、第一発光中心部Ｐ１と第一辺Ｓ１との距離をｂ１とし、第二発光中心部Ｐ２と第一辺Ｓ１との距離をｂ２とし、第二発光中心部Ｐ２と第四辺Ｓ４との距離をｂ３とし、第二発光中心部Ｐ２と第二辺Ｓ２との距離をｂ４とし、第三発光中心部Ｐ３と第二辺Ｓ２との距離をｂ５とし、第三発光中心部Ｐ３と第三辺Ｓ３との距離をｂ６とし、第一発光中心部Ｐ１と第三辺Ｓ３との距離をｂ７とし、基板ＳのＸ方向の寸法をＣ１とし、基板ＳのＹ方向の寸法をＣ２としている。
【００２２】
上記場合において、
Ｖ１１＋Ｖ２１＜Ｂ１
であり、かつ、
Ｖ１２＋Ｖ３２＜Ｂ３
である場合に、下記の式（１）及び式（２）を満足するように第一発光素子Ｄ１、第二発光素子Ｄ２及び第三発光素子Ｄ３が配置されている。
【００２３】
Ｃ１＝Ｂ１＋ｂ３＋ｂ７＝２×Ｂ１−α    …（１）
【００２４】
Ｃ２＝Ｂ３＋ｂ１＋ｂ５＝２×Ｂ３−β    …（２）
【００２５】
また、上記場合において、下記の式（３）を満足するように第一発光素子Ｄ１、第二発光素子Ｄ２及び第三発光素子Ｄ３が配置されていることがより好ましい。
【００２６】
Ｂ１＝Ｂ２＝（√３／２）×Ｂ３    …（３）
【００２７】
また、下記の式（４）を満足するように第一発光素子Ｄ１、第二発光素子Ｄ２及び第三発光素子Ｄ３が配置されていることがより好ましい。
【００２８】
Ｃ１＝Ｃ２    …（４）
【００２９】
このように第一発光素子Ｄ１、第二発光素子Ｄ２及び第三発光素子Ｄ３が配置されていることにより、それぞれの基板Ｓ上における複数の発光素子Ｄの配置が基板Ｓごとに同一の配置となると共に、１つの基板Ｓにおける複数の発光素子Ｄのピッチと、基板Ｓを跨いで隣接する複数の発光素子Ｄのピッチとが等しくなる。
【００３０】
次に、図２を参照して、上記構成の表示装置ＤＰの動作を説明する。本実施形態の表示装置ＤＰでは、時分割駆動を行うことができる。以下、表示装置ＤＰの動作を、図２において図中左上の発光素子パッケージＰＫ１と、図中左下の発光素子パッケージＰＫ１とを例に挙げて説明する。
【００３１】
図２に示すように、制御装置ＣＯＮＴは、図中左上又は図中左下の発光素子パッケージＰＫ１の各発光素子Ｄを点灯あるいは消灯させることで、第一発光素子Ｄ１、第二発光素子Ｄ２及び第三発光素子Ｄ３をサブ画素とし、発光素子パッケージＰＫ１を１つの画素として表示を行わせる。例えば図中左上の発光素子パッケージＰＫ１では画素Ｇａが形成され、図中左下の発光素子パッケージＰＫ１では画素Ｇｂが形成される。
【００３２】
これに対して、本実施形態では、隣接する２つの画素Ｇａ及び画素Ｇｂにおいて、サブ画素を一部ずつ用いることで、当該２つの画素Ｇａと画素Ｇｂとの間に１つの独立した画素を形成することができる。具体的には、図２に示すように、図中左上の発光素子パッケージＰＫ１の第二発光素子Ｄ２と、図中左下の発光素子パッケージＰＫ１の第一発光素子Ｄ１及び第三発光素子Ｄ３とによって、独立した画素Ｇｃが形成される。このようにサブ画素を時分割で駆動させることで、より高精細な表示が可能となる。
【００３３】
時分割駆動を行う表示装置においては、サブ画素として高い応答速度を有する発光素子を用いる必要がある。この点、本実施形態に係る表示装置ＤＰでは、発光素子Ｄとして高い応答速度を有するＬＥＤが用いられているため、好適に時分割駆動を行うことができる。
【００３４】
また、時分割駆動を行う表示装置においては、１つの画素内においても、また、隣接する画素間においても、各発光素子を等ピッチで配列させる必要がある。この点について、本実施形態に係る表示装置ＤＰでは、１つの基板Ｓにおける複数の発光素子Ｄのピッチと、基板Ｓを跨いで隣接する複数の発光素子Ｄのピッチとが等しくなっているため、１つの発光素子パッケージＰＫ１内で画素を形成する場合と、２つの発光素子パッケージＰＫ１を跨いで画素を形成する場合とで、同程度の表示が可能となる。したがって、例えば図２に示す構成で白色を表示する場合、画素Ｇａ及び画素Ｇｂで表示する場合と、画素Ｇｃで表示する場合とで、同程度の表示が可能となる。このように、２つの発光素子パッケージＰＫ１を跨いで画素を形成する場合における表示特性の低下を防ぐことができるため、高い表示特性を得ることができる。
【００３５】
［第二実施形態］  
次に、本発明の第二実施形態を説明する。  
本実施形態では、発光素子パッケージの基板上に配置される発光素子Ｄの数が４つである場合を例に挙げて説明する。
【００３６】
図５は、表示パネルＰＮＬの一部の構成を示す平面図である。図６は、発光素子パッケージＰＫ１の構成を示す平面図である。図７は、発光素子パッケージＰＫ２の構成を示す側面図である。  
図５から図７に示すように、発光素子パッケージＰＫ２は、基板Ｓ、複数の発光素子Ｄ及び保護部材ＣＯＶを有している。
【００３７】
基板Ｓは、矩形に形成されている。基板Ｓは、図６に示すように、当該基板Ｓの４辺のうち第一辺Ｓ１及び第二辺Ｓ２がＸ方向に平行になるように、また、第三辺Ｓ３及び第四辺Ｓ４がＹ方向に平行になるように、板状部材ＰＳ上にＸ方向及びＹ方向にマトリクス状に配置されている。基板Ｓには、複数の発光素子Ｄに接続される不図示の配線や端子などが形成されている。本実施形態では、図５に示すように、隣接する基板Ｓ同士のＸ方向の距離をαとし、隣接する基板Ｓ同士のＹ方向の距離をβとしている。
【００３８】
また、図６に示すように、本実施形態では、複数の発光素子Ｄとして、第一発光素子Ｄ１、第二発光素子Ｄ２、第三発光素子Ｄ３及び第四発光素子Ｄ４の４つの発光素子Ｄが１つの基板Ｓ上に設けられている。本実施形態では、例えば第一発光素子Ｄ１として赤色ＬＥＤが用いられ、第二発光素子Ｄ２として緑色ＬＥＤが用いられ、第三発光素子Ｄ３として青色ＬＥＤが用いられ、第四発光素子Ｄ４として緑色ＬＥＤが用いられている。なお、第四発光素子Ｄ４として、白色ＬＥＤなど、他の色（例えば黄色など）の光を発光するＬＥＤを用いても構わない。
【００３９】
第一発光素子Ｄ１及び第四発光素子Ｄ４は、基板Ｓの第三辺Ｓ３に沿って並んで配置されている。第二発光素子Ｄ２及び第三発光素子Ｄ３は、第四辺Ｓ４に沿って並んで配置されている。このうち第一発光素子Ｄ１及び第二発光素子Ｄ２は、第一辺Ｓ１側に配置されており、第三発光素子Ｄ３及び第四発光素子Ｄ４は、第二辺Ｓ２側に配置されている。
【００４０】
本実施形態では、第一発光素子Ｄ１のＸ方向の寸法をＬ１１とし、第一発光素子Ｄ１のＹ方向の寸法をＬ１２とし、第二発光素子Ｄ２のＸ方向の寸法をＬ２１とし、第二発光素子Ｄ２のＹ方向の寸法をＬ２２とし、第三発光素子Ｄ３のＸ方向の寸法をＬ３１とし、第三発光素子Ｄ３のＹ方向の寸法をＬ３２とし、第四発光素子Ｄ４のＸ方向の寸法をＬ４１とし、第四発光素子Ｄ４のＹ方向の寸法をＬ４２としている。
【００４１】
また、第一発光素子Ｄ１の発光の中心である第一発光中心部Ｐ１と第二発光素子Ｄ２の発光の中心である第二発光中心部Ｐ２との間におけるＸ方向の距離をＭ１とし、第二発光中心部Ｐ２と第三発光素子Ｄ３の発光の中心である第三発光中心部Ｐ３との間におけるＹ方向の距離をＭ２とし、第三発光中心部Ｐ３と第四発光素子Ｄ４の発光の中心である第四発光中心部Ｐ４との間におけるＸ方向の距離をＭ３とし、第四発光中心部Ｐ４と第一発光中心部Ｐ１とのＸ方向の距離をＭ４としている。
【００４２】
また、第一発光中心部Ｐ１と第一辺Ｓ１との距離をｍ１とし、第二発光中心部Ｐ２と第一辺Ｓ１との距離をｍ２とし、第二発光中心部Ｐ２と第四辺Ｓ４との距離をｍ３とし、第三発光中心部Ｐ３と第四辺Ｓ４との距離をｍ４とし、第三発光中心部Ｐ３と第二辺Ｓ２との距離をｍ５とし、第四発光中心部Ｐ４と第二辺Ｓ２との距離をｍ６とし、第四発光中心部Ｐ４と第三辺Ｓ３との距離をｍ７とし、第一発光中心部Ｐ１と第三辺Ｓ３との距離をｍ８とし、基板ＳのＸ方向の寸法をＮ１とし、基板ＳのＹ方向の寸法をＮ２としている。
【００４３】
上記場合において、
Ｗ１１＋Ｗ２１＜Ｍ１
であり、かつ、
Ｗ１２＋Ｗ４２＜Ｍ４
である場合に、下記の式（５）及び式（６）を満足するように第一発光素子Ｄ１、第二発光素子Ｄ２、第三発光素子Ｄ３及び第四発光素子Ｄ４が配置されている。
【００４４】
Ｎ１＝Ｍ１＋ｍ３＋ｍ８＝２×Ｍ１−α    …（５）
【００４５】
Ｎ２＝Ｍ４＋ｍ１＋ｍ６＝２×Ｍ４−β    …（６）
【００４６】
また、上記場合において、下記の式（７）を満足するように第一発光素子Ｄ１、第二発光素子Ｄ２、第三発光素子Ｄ３及び第四発光素子Ｄ４が配置されていることがより好ましい。
【００４７】
Ｍ１＝Ｍ２＝Ｍ３＝Ｍ４    …（７）
【００４８】
また、下記の式（８）を満足するように第一発光素子Ｄ１、第二発光素子Ｄ２、第三発光素子Ｄ３及び第四発光素子Ｄ４が配置されていることがより好ましい。
【００４９】
Ｎ１＝Ｎ２    …（８）
【００５０】
このように第一発光素子Ｄ１、第二発光素子Ｄ２、第三発光素子Ｄ３及び第四発光素子Ｄ４が配置されていることにより、それぞれの基板Ｓ上における複数の発光素子Ｄの配置が基板Ｓごとに同一の配置となると共に、１つの基板Ｓにおける複数の発光素子Ｄのピッチと、基板Ｓを跨いで隣接する複数の発光素子Ｄのピッチとが等しくなる。
【００５１】
次に、図５を参照して、上記構成の表示装置ＤＰの動作を説明する。本実施形態の表示装置ＤＰでは、時分割駆動を行うことができる。以下、表示装置ＤＰの動作を、図５において図中左上の発光素子パッケージＰＫ２と、図中左下の発光素子パッケージＰＫ２と、図中右上の発光素子パッケージＰＫ２とを例に挙げて説明する。
【００５２】
図５に示すように、制御装置ＣＯＮＴは、図中左上、図中左下又は図中右上の発光素子パッケージＰＫ２の各発光素子Ｄを点灯あるいは消灯させることで、第一発光素子Ｄ１、第二発光素子Ｄ２、第三発光素子Ｄ３及び第四発光素子Ｄ４をサブ画素とし、各発光素子パッケージＰＫ２を１つの画素として表示を行わせる。例えば図中左上の発光素子パッケージＰＫ２では画素Ｇｄが形成され、図中左下の発光素子パッケージＰＫ２では画素Ｇｅが形成され、図中右上の発光素子パッケージＰＫ２では画素Ｇｆが形成される。
【００５３】
これに対して、本実施形態では、隣接する２つの画素Ｇｄ及び画素Ｇｅにおいて、サブ画素を一部ずつ用いることで、当該２つの画素Ｇｄと画素Ｇｅとの間に１つの独立した画素を形成することができる。具体的には、図５に示すように、図中左上の発光素子パッケージＰＫ２の第二発光素子Ｄ２及び第三発光素子Ｄ３と、図中左下の発光素子パッケージＰＫ２の第一発光素子Ｄ１及び第四発光素子Ｄ４とによって、独立した画素Ｇｇが形成される。
【００５４】
また、本実施形態では、隣接する２つの画素Ｇｄ及び画素Ｇｆにおいても、サブ画素を一部ずつ用いることで、当該２つの画素Ｇｄと画素Ｇｆとの間に１つの独立した画素を形成することができる。具体的には、図５に示すように、図中左上の発光素子パッケージＰＫ２の第三発光素子Ｄ３及び第四発光素子Ｄ４と、図中右上の発光素子パッケージＰＫ２の第一発光素子Ｄ１及び第二発光素子Ｄ２とによって、独立した画素Ｇｈが形成される。
【００５５】
以上のように、本実施形態においては、１つの基板Ｓにおける複数の発光素子Ｄのピッチと、基板Ｓを跨いで隣接する複数の発光素子Ｄのピッチとが等しくなる。したがって、複数の発光素子Ｄをサブ画素として時分割で駆動させる場合、１つの発光素子パッケージＰＫ２内で画素を形成する場合と、隣接する２つの発光素子パッケージＰＫ２を跨いで画素を形成する場合とで、共に高精細な表示が可能となる。このように、２つの発光素子パッケージＰＫ２を跨いで画素を形成する場合における表示特性の低下を防ぐことができるため、高い表示特性を得ることができる。
【００５６】
［第三実施形態］  
次に、本発明の第三実施形態を説明する。  
本実施形態では、端子ＴＭを含めた発光素子パッケージＰＫ（ＰＫ１、ＰＫ２）の全体構成について説明する。発光素子パッケージＰＫの全体構成（端子ＴＭの配置）としては、例えば図８〜図１０に示す構成が挙げられる。勿論、他の構成であっても構わない。
【００５７】
図８は、発光素子パッケージＰＫの一構成例を示す図である。図８（ａ）は発光素子パッケージＰＫの底面図であり、図８（ｂ）は発光素子パッケージＰＫの側面図である。図８（ａ）及び図８（ｂ）に示すように、端子ＴＭは、発光素子パッケージＰＫの側面のうち例えば平行な２面に配置されている。各側面には、複数の端子ＴＭが等間隔で配置されている。
【００５８】
図９は、発光素子パッケージＰＫの他の構成例を示す図である。図９（ａ）は発光素子パッケージＰＫの底面図であり、図９（ｂ）は発光素子パッケージＰＫの側面図である。図９（ａ）及び図９（ｂ）に示すように、端子ＴＭは、発光素子パッケージＰＫの４つの側面に２つずつ設けられている。各端子ＴＭは、それぞれ側面から底面に掛けて角部を覆うように形成されている。
【００５９】
図１０は、発光素子パッケージＰＫの他の構成例を示す図である。図１０（ａ）は発光素子パッケージＰＫの底面図であり、図１０（ｂ）は発光素子パッケージＰＫの側面図である。図１０（ａ）及び図１０（ｂ）に示すように、端子ＴＭは、発光素子パッケージＰＫの底面の例えば５箇所に配置されている。
【００６０】
本発明の技術範囲は上記実施形態に限定されるものではなく、本発明の趣旨を逸脱しない範囲で適宜変更を加えることができる。  
例えば、上記実施形態においては、発光素子Ｄとして、ＬＥＤを例に挙げて説明したが、これに限られることは無く、他の発光素子を用いても構わない。
【００６１】
また、例えば上記実施形態においては、１つの発光素子パッケージに発光素子Ｄを３つ又は４つ配置させる構成を例に挙げて説明したが、これに限られることは無く、２つあるいは５つ以上の発光素子Ｄを１つの発光素子パッケージに配置させる構成であっても構わない。
【００６２】
また、上記実施形態においては、発光素子パッケージを１つずつ独立して取り扱う構成を例に挙げて説明したが、これに限られることは無く、例えば複数の発光素子パッケージが配置された板状部材ＰＳが複数のブロックに区画され、ブロック毎に独立して取り扱いが可能な構成であっても構わない。この場合、複数の発光素子パッケージをまとめて取り扱うことができるため、ハンドリング性が高まることになる。
【符号の説明】
【００６３】
ＤＰ…表示装置  Ｓ…基板  Ｓ１…第一辺  Ｓ２…第二辺  Ｓ３…第三辺  Ｓ４…第四辺  Ｄ…発光素子  Ｄ１…第一発光素子  Ｄ２…第二発光素子  Ｄ３…第三発光素子  Ｄ４…第四発光素子  Ｐ１…第一発光中心部  Ｐ２…第二発光中心部  Ｐ３…第三発光中心部  Ｐ４…第四発光中心部  ＰＮＬ…表示パネル  ＣＯＮＴ…制御装置  ＰＫ１、ＰＫ２…発光素子パッケージ
【図１】
2012099728.tif 000003
【図２】
2012099728.tif 000004
【図３】
2012099728.tif 000005
【図４】
2012099728.tif 000006
【図５】
2012099728.tif 000007
【図６】
2012099728.tif 000008
【図７】
2012099728.tif 000009
【図８】
2012099728.tif 000010
【図９】
2012099728.tif 000011
【図１０】
2012099728.tif 000012